(57)【要約】【課題】コストの削減および取付作業の簡略化を図ることができ、且つ浴槽と支持部材との接合強度を高めることが可能な浴槽を提供することを目的とする。【解決手段】本発明にかかる浴槽の構成は、内部に人が腰掛けることが可能な座面１２４を有する浴槽１００であって、当該浴槽１００の底面１１２と、底面１１２から立設する立設面１２２と、底面１１２よりも高い位置にある座面１２４とが連続して一体的に形成されており、立設面の裏側１２２ａに、座面の裏側１２４ａから底面の裏側１１２ａまで延びる支持部材１３４を配設したことを特徴とする。【選択図】  図１
2011224036.tif 000002
【特許請求の範囲】
【請求項１】
内部に人が腰掛けることが可能な座面を有する浴槽であって、
当該浴槽の底面と、該底面から立設する立設面と、前記底面よりも高い位置にある前記座面とが連続して一体的に形成されており、
前記立設面の裏側に、前記座面の裏側から前記立設面の裏側に沿って前記底面近傍まで延びる支持部材を配設したことを特徴とする浴槽。
【請求項２】
前記支持部材は、前記底面の裏側まで更に延びることを特徴とする請求項１に記載の浴槽。
【請求項３】
前記座面の裏側には、前記立設面の裏側に対する角度がほぼ直角となる当接部が形成され、前記支持部材は該当接部に当接することを特徴とする請求項１に記載の浴槽。
【発明の詳細な説明】
【技術分野】
【０００１】
本発明は、内部に人が腰掛けることが可能な座面を有する浴槽に関する。
【背景技術】
【０００２】
近年、底面から連続して形成された段差により、内部に人が腰掛けることが可能な座面（腰掛）が設けられた浴槽が普及している（例えば、特許文献１）。これにより、底面に座れば全身浴が、座面に座れば半身浴が可能となるため、浴槽の湯量を調節することなく使用者が好みの入浴法を選択することができる。また使用者は底面にしゃがんだ状態ではなく座面に座りながら入浴できるため、快適性を向上させることも可能となる。
【０００３】
しかし、上記のような浴槽では、使用者が座面に腰掛けた際に荷重が座面側に偏ることが想定される。一方、一体成型によって浴槽に座面を設けると、座面の裏側では浴槽の底面が持ち上がった形状となるため、底面と同じレベル（高さ）では支えることができない。すると座面のある部分は片持ちの状態となり、ここに体重をかけると座面の部分がたわんでしまったり、浴槽全体が傾いてしまったりすることが想定される。そこで、特許文献１の浴槽では、浴槽を支える支柱状の補強部材を浴槽の外側の座面の下部に設けて座面に腰掛けた際の人の荷重を受け止めている。
【先行技術文献】
【特許文献】
【０００４】
【特許文献１】特開２００８−２１２１８２号公報
【発明の概要】
【発明が解決しようとする課題】
【０００５】
しかし、特許文献１のように支柱状の補強部材であると、支柱やそれを浴槽に取り付ける部品等、複数の部材が必要となるため、高コストであり、取付作業に手間を要していた。また特許文献１のような補強部材では、浴槽との接合部分が補強部材の上面一箇所のみであるため、補強部材の上端を大きくする（浴槽との接合面積を大きくする）必要があり、コストが上昇する原因となる。このため、簡略な構成で接合強度を高めることが可能な構造の開発が望まれていた。
【０００６】
更に、浴室側の支持構造にも影響がある。仮に座面を設けなければ、浴槽の底面を長辺方向の２箇所でバランスよく支持することができる。しかし座面の下に補強部材を設けると、底面の２箇所に加えて、座面の下の補強部材も支持する必要が生じるため、浴室側に３箇所の支持構造が必要になる。したがって浴槽をフレームに載置する場合には、フレームが３つ必要になるという問題がある。
【０００７】
本発明は、このような課題に鑑み、コストの削減および取付作業の簡略化を図ることができ、且つ浴槽と支持部材との接合強度を高めることが可能な浴槽を提供することを目的としている。
【課題を解決するための手段】
【０００８】
上記課題を解決するために、本発明にかかる浴槽の代表的な構成は、内部に人が腰掛けることが可能な座面を有する浴槽であって、当該浴槽の底面と、底面から立設する立設面と、底面よりも高い位置にある座面とが連続して一体的に形成されており、立設面の裏側に、座面の裏側から立設面の裏側に沿って底面近傍まで延びる支持部材を配設したことを特徴とする。
【０００９】
上記構成によれば、支持部材の上端面が座面を支持することによって浴槽の傾きや座面のたわみを防止することができる。そして支持部材が立設面の裏側に沿って接合されていて、かつその下端が底面近傍に延びていることにより、支持部材の下端を支持すれば座面の荷重と浴槽全体の荷重を同時に支持することができる。したがって浴室側の支持構造を共通化することができ、座面を設けたとしてもフレームを追加する必要がなく、コストの削減を図ることができる。また、支持部材が立設面の裏側に沿っていることによって、支持部材と浴槽との接合強度を容易に向上させることができ、支持部材の形状および構造を簡略化することができるため、支持部材のコスト低減も図ることができる。
【００１０】
上記の支持部材は、底面の裏側まで更に延びるとよい。かかる構成によれば、支持部材は底面の裏側にまで延びて配設されているため、支持部材は浴槽の底面と座面に同時に接合される。したがって支柱状の補強部材に比して簡単な構成で支持部材の浴槽に対する接合強度を高めることができ、部品点数が増大することがない。これにより、コストの削減および取付作業の簡略化を図ることが可能となる。
【００１１】
上記の座面の裏側には、立設面の裏側に対する角度がほぼ直角となる当接部が形成され、支持部材は当接部に当接するとよい。
【００１２】
かかる構成によれば、座面からかかる荷重を安定して支持部材で受けることができ、支持部材と当接部を剥離させる方向の力が極めて小さい。このため、支持部材の耐荷重および耐久性を高めることができる。なお、立設面の裏側に対する角度に代えて、支持部材の軸方向に対する角度がほぼ直角となるように形成してもよい。
【発明の効果】
【００１３】
本発明によれば、底面よりも高い位置に座面を設けつつも、支持部材を簡単かつ接合強度が高い構成とすることにより、コストの削減および取付作業の簡略化を図ることが可能な浴槽を提供することができる。
【図面の簡単な説明】
【００１４】
【図１】第１実施形態にかかる浴槽を示す図である。
【図２】支持部材を説明する３面図である。
【図３】浴槽の平面図および底面図である。
【図４】浴槽の底面斜視図である。
【図５】フレームを説明する図である。
【図６】当接部の構成を説明する図である。
【図７】第２実施形態にかかる浴槽を示す図である。
【図８】支持部材を説明する５面図である。
【図９】浴槽の底面斜視図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１６】
（第１実施形態）
図１は第１実施形態にかかる浴槽１００を示す図、図２は支持部材を説明する３面図、図３は浴槽の平面図および底面図、図４は浴槽の底面斜視図である。
【００１７】
図１に示すように、第１実施形態にかかる浴槽１００は、その底面１１２から側面１１４が立設していて、いわゆるバスタブ形状が構成されている。図３（ａ）に示すように浴槽１００はおおむね長方形の形状をしていて、長辺方向の一端に底面１１２より高い座面１２４を設けている。底面１１２からは立設面１２２が立設していて、かかる立設面１２２の上縁から座面１２４が延設されている。すなわち、浴槽１００は、一体的に連続して形成される底面１１２、側面１１４、立設面１２２および座面１２４により構成されている。
【００１８】
上記のように浴槽１００内において底面１１２よりも高い位置に座面１２４が設けられることにより、使用者は座面１２４に腰掛けながら入浴することができ、快適性を向上させることが可能となる。また、座面１２４に座れば半身浴ができ、底面１１２に座れば全身浴ができるため、使用者は湯量を調節することなく好みの入浴法を選択可能となる。
【００１９】
図１、図３（ｂ）、および図４に示すように、浴槽１００の底面の裏側１１２ａには、その一方の短辺近傍（座面１２４の反対側）に足１３２が接合されている。かかる足１３２は、フレーム１０４上に載置される載置足１３２ａと、載置足１３２ａよりも厚い位置決め足１３２ｂとから構成される。位置決め足１３２ｂは、載置足１３２ａよりも中央側に配置される。本実施形態において載置足１３２ａおよび位置決め足１３２ｂは、共にブロック形状である。そして、載置足１３２ａをフレーム１０４上に載置することにより、位置決め足１３２ｂはフレーム１０４の側面に当接する。これにより、浴槽１００の長手方向外側（図１左方向）への移動が抑制される。なお、載置足１３２ａおよび位置決め足１３２ｂは必ずしも別体とする必要はなく、これらを一体とした構成にしてもよい。
【００２０】
図１および図２に示すように、支持部材１３４は、立設面の裏側１２２ａに、座面の裏側１２４ａから立設面１２２の裏側に沿って底面近傍まで延びて配設される。支持部材１３４はブロック形状の構造部材である。このようにブロック形状とすることにより金型の簡略化を図り、そのコストを削減することが可能となる。かかる支持部材１３４の上端面１３４ｅは、座面の裏側１２４ａに接合される。また本実施形態では、支持部材１３４の浴槽側の面１３４ｆは、立設面の裏側１２２ａに接合される。図２においてハッチングは浴槽１００との接合面を示している。接合は接着剤によって施すことができるが、溶着または吹き付け塗装によって接合させてもよい。
【００２１】
更に、本実施形態では、支持部材１３４はフレーム１０４に載置される。したがって、支持部材１３４は載置足としての機能も果たすこととなるため、底面の裏側１１２ａにおいて、座面１２４が形成されている側に載置足を設ける必要がない。これにより、かかる載置足を省略することができるため、コストおよび工程数の削減を図ることができる。また、底面の裏側の１３４近傍には位置決め足１３５が設けられている。これにより、支持部材１３４をフレーム１０４に載置することにより、浴槽１００の長手方向外側（図１右方向）への移動が抑制される。すなわち、足１３２と支持部材１３４をフレーム１０４の上に載置することによって、設置安定性を向上させることができる。
【００２２】
図５はフレームを説明する図である。図５に示すように、本実施形態にかかる浴槽１００は、浴室の洗い場（不図示）を構成する洗い場側フロア１０２に接続されたフレーム１０４の上に載置される。フレーム１０４はおおむねＬ字型をした構造部材であって、浴槽１００を載置する梁部１０４ａの一端を洗い場側フロア１０２に挿入して支持され、梁部１０４ａの他端にある脚部１０４ｂを浴室の床面まで垂下している。このような構造とすることにより、フレーム１０４の構造の簡略化および軽量化し、また位置決めの容易化を図っている。
【００２３】
なお、本実施形態では浴槽１００をフレーム１０４の上に載置したが、これに限定するものではなく、浴槽１００は浴室の床面に直接載置されてもよいし、防水パン（不図示の浴槽側フロア）を設置してその上に載置されてもよい。
【００２４】
上記構成によれば、支持部材１３４が座面の裏側１２４ａを支持することから、使用者が座面１２４に着座した際の荷重を支持部材１３４が受け止めることができる。したがって、座面１２４のたわみを防ぎ、また浴槽１００の傾きを防ぐことが可能となる。
【００２５】
ここで、支持部材１３４は、座面の裏側１２４ａおよび立設面の裏側１２２ａの両方に接合されることから、支柱状の補強部材に比して、簡単な構成で支持部材１３４の浴槽１００に対する接合強度を高めることができる。したがって部品点数が増大することがなく、コストの削減および取付作業の簡略化を図ることが可能となる。
【００２６】
更に本実施形態においては、図１の円内拡大図に示すように、座面の裏側１２４ａにおいて支持部材１３４の上端面１３４ｅが当接する部分に、立設面の裏側１２２ａに対する角度θがほぼ直角となる当接部１２４ｂが形成されている。なお、立設面の裏側１２２ａに対する角度に代えて、支持部材１３４の軸方向に対する角度がほぼ直角となるように形成してもよい。支持部材１３４が立設面の裏側１２２ａに沿っている場合には、これらはほぼ同義である。
【００２７】
これにより、座面１２４からかかる荷重を安定して支持部材１３４で受けることができるため、支持部材１３４と当接部１２４ｂを剥離させる方向の力が極めて小さい。したがって、支持部材１３４の耐荷重および耐久性を高めることが可能となる。
【００２８】
図６は当接部１２４ｂの構成を説明する図である。図６（ａ）は図１と同様の構成であって、当接部１２４ｂは座面の裏側１２４ａの延長線Ｌ（一点鎖線）よりも盛り上がるように形成されている。図６（ｂ）では、当接部１２４ｂのうち立設面１２２から遠い側は延長線Ｌよりも盛り上がり、近い側は延長線Ｌよりも窪むように形成されている。図６（ｃ）では、当接部１２４ｂの全体が延長線Ｌよりも窪むように形成されている。このように、当接部１２４ｂは立設面の裏側１２２ａに対する角度θがほぼ直角となっていればよく、座面の裏側１２４ａに対する位置関係は問題とならない。なお、本実施形態において当接部１２４ｂは単なる平面として図示しているが、支持部材１３４の上端面１３４ｅと噛合するように凹凸形状としてもよい。
【００２９】
上記説明したように、第１実施形態にかかる浴槽１００によれば、支持部材１３４の上端面１３４ｅが座面１２４を支持することによって浴槽１００の傾きや座面１２４のたわみを防止することができる。そして支持部材１３４が立設面の裏側１２２ａに沿って接合されていて、かつその下端が底面１１２の近傍に延びていることにより、支持部材１３４の下端を支持すれば座面１２４の荷重と浴槽１００の全体の荷重を同時に支持することができる。したがって浴室側の支持構造を共通化することができ、座面１２４を設けたとしてもフレーム１０４を追加する必要がなく、コストの削減を図ることができる。また、支持部材１３４が立設面の裏側１２２ａに沿っていることによって、支持部材１３４と浴槽１００との接合強度を容易に向上させることができ、支持部材１３４の形状および構造を簡略化することができるため、支持部材１３４のコスト低減も図ることができる。
【００３０】
（第２実施形態）
図７は第２実施形態にかかる浴槽を示す図、図８は支持部材を説明する５面図、図９は浴槽の底面斜視図である。なお、第１実施形態の浴槽１００の構成要素と実質的に同一または同様の要素については、同一の符号を付して説明を省略する。
【００３１】
第１実施形態の浴槽１００が備える支持部材１３４はブロック形状で座面の裏側１２４ａおよび立設面の裏側１２２ａに接合されていたのに対し、第２実施形態の浴槽２００が備える支持部材２３４は、底面の裏側１１２ａまで延びたＬ字状で、座面の裏側１２４ａおよび立設面の裏側１２２ａに加えて底面の裏側１１２ａにも接合される。
【００３２】
詳細には、図７および図８、図９に示すように、支持部材２３４は、立設面の裏側１２２ａに、座面の裏側１２４ａから底面の裏側１１２ａまで延びて配設される。支持部材２３４はおおむねＬ字型をした構造部材であって、立設面の裏側１２２ａに沿って配置される柱部２３４ａと、底面の裏側１１２ａに沿って配置される梁部２３４ｂとを備えている。柱部２３４ａの上端面２３４ｅは、座面の裏側１２４ａに接合される。梁部２３４ｂの上面は、底面の裏側１１２ａに接合される。また本実施形態では、柱部２３４ａの浴槽側の面２３４ｆは、立設面の裏側１２２ａに接合される。図８においてハッチングは浴槽２００との接合面を示している。なお、第１実施形態の支持部材１３４と同様に、接合は接着剤によって施してもよいし、溶着または吹き付け塗装によって接合させてもよい。
【００３３】
梁部２３４ｂの底面には、フレーム１０４に載置される載置面２３４ｃと、フレーム１０４の側面に当接する凸部２３４ｄが形成されている。凸部２３４ｄは載置面２３４ｃよりも浴槽１００の中央側に配置されており、載置面２３４ｃをフレーム１０４に載置することにより、浴槽１００の長手方向外側（図１右方向）への移動が抑制される。すなわち、足１３２と支持部材２３４をフレーム１０４の上に載置することによって、設置安定性を向上させることができる。
【００３４】
本実施形態のように支持部材２３４を柱部２３４ａと梁部２３４ｂとから構成した場合、支持部材２３４の柱部２３４ａが座面の裏側１２４ａを支持する。これにより、使用者が座面１２４に着座した際の荷重を支持部材２３４が受け止めることができる。したがって、支持部材２３４によっても座面１２４のたわみを防ぎ、また浴槽２００の傾きを防ぐことが可能となる。
【００３５】
ここで、支持部材２３４はその両端を底面の裏側１１２ａと座面の裏側１２４ａの両方に接合されることから、支柱状の補強部材に比して、簡単な構成で支持部材２３４の浴槽１００に対する接合強度を高めることができる。したがって部品点数が増大することがなく、コストの削減および取付作業の簡略化を図ることが可能となる。
【００３６】
また上記構成によれば、支持部材２３４が座面の裏側１２４ａから底面の裏側１１２ａまで延びて配設されることにより、支持部材２３４が１つのフレーム１０４によって座面１２４の荷重と底面１１２（浴槽全体）の荷重を同時に支持する。換言すれば、座面１２４と底面１１２の２箇所の荷重を、１つのフレーム１０４で受けることができる。これにより、浴室側の支持構造を共通化することができ、座面１２４を設けたとしてもフレーム１０４を追加する必要がなく、コストの上昇を抑えることができる。
【００３７】
上記説明したように、本実施形態にかかる浴槽２００によれば、支持部材２３４によって座面１２４と底面１１２（浴槽全体）の荷重を同時に支持することができる。このため、座面１２４の下に従来のような支柱状の補強部材を設ける必要がなく、コストの削減および取付作業の簡略化を図ることが可能となる。また支持部材２３４が底面の裏側１１２ａにまで配設されて、底面の裏側１１２ａにも接合されることにより、更なる接合強度の向上を図れる。
【００３８】
なお、本発明は上記の実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、内部に人が腰掛けることが可能な座面を有する浴槽に適用することができる。
【符号の説明】
【００４０】
１００…浴槽、１０２…洗い場側フロア、１０４…フレーム、１０４ａ…梁部、１０４ｂ…脚部、１１２…底面、１１２ａ…底面の裏側、１１４…側面、１２２…立設面、１２２ａ…立設面の裏側、１２４…座面、１２４ａ…座面の裏側、１２４ｂ…当接部、１３２…足、１３２ａ…載置足１３２ａ、１３２ｂ…位置決め足、１３４…支持部材、１３４ｅ…上端面、１３４ｆ…浴槽側の面、１３５…位置決め足、２００…浴槽、２３４…支持部材、２３４ａ…柱部、２３４ｂ…梁部、２３４ｃ…載置面、２３４ｄ…凸部、２３４ｅ…上端面、２３４ｆ…浴槽側の面
【図１】
2011224036.tif 000003
【図２】
2011224036.tif 000004
【図３】
2011224036.tif 000005
【図４】
2011224036.tif 000006
【図５】
2011224036.tif 000007
【図６】
2011224036.tif 000008
【図７】
2011224036.tif 000009
【図８】
2011224036.tif 000010
【図９】
2011224036.tif 000011